(57)【要約】【課題】被印刷体の吸水性や吸油性の影響を受け難く、かつ容易に肌色印刷再現されるオフセット多色印刷版の矯正方法を提供するものである。【解決手段】印刷原稿のスキャナ装置から得る基準肌色再現網点階調プロファイルと、印刷物から得る印刷物肌色再現網点階調プロファイルとの演算から得た一次矯正プロファイルと、目標肌色再現補正プロファイルとの演算から得た画像矯正済プロファイルを画像として出力するものであり、イエロー画像、マゼンタ画像、シアン画像及びブラック画像からなる各色印刷版画像の目標肌色再現網点階調プロファイルが、イエロー画像とマゼンタ画像の網点面積率をそれぞれ３０〜４５％、シアン画像の網点面積率を基準肌色再現網点階調プロファイルから得られるそれの１／３以下で好ましくは網点面積率７％以下にし、更にはイエロー画像とマゼンタ画像の網点面積比が１：０．８〜１：１としたオフセット印刷版画像の矯正方法。【選択図】  図４
2006093796.tif 000002
【特許請求の範囲】
【請求項１】
印刷原稿のスキャナ装置から得られる基準肌色再現網点階調プロファイルと、印刷物から得られる印刷物網点階調プロファイルとの演算から得られる一次矯正プロファイルと、目標肌色再現補正プロファイルとの演算から得られる画像矯正済プロファイルを画像として出力するものであり、かつイエロー画像、マゼンタ画像、シアン画像及びブラック画像からなる各色印刷版画像の目標肌色再現網点階調プロファイルが、イエロー画像とマゼンタ画像の網点面積率をそれぞれ３０〜４５％、シアン画像の網点面積率を基準肌色再現網点階調プロファイルから得られるそれの１／３以下にすることを特徴とするオフセット印刷版画像の矯正方法。
【請求項２】
目標肌色再現網点階調プロファイルにおけるシアン画像の網点面積率を７％以下にすることを特徴とする請求項１記載のオフセット印刷版画像の矯正方法。
【請求項３】
イエロー画像とマゼンタ画像の網点面積比が１：０．８〜１：１であることを特徴とする請求項１または２記載のオフセット印刷版画像の矯正方法。
【発明の詳細な説明】
【技術分野】
【０００１】
本発明は、ブランケットを介して印刷するＰＳ版、水無版、ドライオフ版を使用するオフセット印刷版画像の矯正方法に関するものであり、さらに詳しくは被印刷体の吸水性や吸油性の影響を受け難く、かつ容易に肌色印刷再現されるオフセット多色印刷版の矯正方法に関するものである。
【背景技術】
【０００２】
オフセット印刷版は、文字印刷から写真再現印刷まで様々な印刷に活用されている。印刷版は、ＰＳ版、水無平版、ドライオフ版の構造まであるが、被印刷体である紙や合成紙などに対し、版の網点画像をブランケットを介して正確に再現する特性が求められる。
【０００３】
オフセット多色印刷で使用する印刷版は、写真ネガ原稿から製版用スキャナ装置で分解された色分解により、減色３原色に墨を加えた４色の原版構成により印刷再現が行われる。一般に、カラー画像の製版工程においては、電子製版用カラースキャナ装置などの製版手段を用いて、カラー原稿画像（写真原稿、描画原稿、線画原稿など）を色分解および網分解し、その後出力装置によりＰＳ版やＣＴＰ版などの印刷版に所定の網点面積率（例えば、網点面積率４０％）とスクリーン線数（例えば、１３３本／インチ〜７００本／インチ）を以て網点を印刷版に画像形成される。
【０００４】
オフセット多色印刷版でカラー写真の印刷再現をした場合、ブラック版とシアン版の画像の各網点は、被印刷体である紙や合成紙の水や油の吸収斑によりブラック、シアンの網点が大きく変化し、後刷りされるイエロー、マゼンタと重色した場合に目標とした色相から大きく離れた印刷物になってしまう問題がある。
【０００５】
オフセット多色印刷機における印刷再現では、印刷原版と被印刷体との間にブランケットを介してインキを転移させるために、厚さ１ミクロンのインキ皮膜を被印刷体に転移させる際に、被印刷体の吸水性や吸油性、さらには被印刷体の表面構造によっては原稿本来の色再現が難しく、特に肌色の再現は該印刷機上の条件により敏感に変化しやすいという難しさがあった（例えば、特許文献１参照）。
【特許文献１】特開平９−３３１４６３号公報
【発明の開示】
【発明が解決しようとする課題】
【０００６】
本発明の目的は、これらの欠点を考慮し、被印刷体の吸水性や吸油性の影響を受け難く、且つ容易に印刷再現される肌色再現印刷版の矯正方法を提供するものである。
【課題を解決するための手段】
【０００７】
本発明者は、鋭意検討した結果、本発明のオフセット印刷版画像の矯正方法を発明するに至った。
【０００８】
すなわち、本発明のオフセット印刷版画像の矯正方法は、印刷原稿のスキャナ装置から得る基準肌色再現網点階調プロファイルと、印刷物から得る印刷物肌色再現網点階調プロファイルとの演算から得た一次矯正プロファイルと、目標肌色再現補正プロファイルとの演算から得た画像矯正済プロファイルを画像として出力するものであり、かつ目標肌色再現網点階調プロファイルが、イエロー画像とマゼンタ画像の網点面積率をそれぞれ３０〜４５％、シアン画像の網点面積率を基準肌色再現網点階調プロファイルから得られるそれの１／３以下にすることを特徴とするものである。
【０００９】
目標肌色再現網点階調プロファイルにおけるシアン画像の網点面積率は７％以下にすることが好ましく、またイエロー画像とマゼンタ画像の網点面積比が１：０．８〜１：１であることが好ましい。
【発明の効果】
【００１０】
本発明の矯正方法によれば、被印刷体の吸水性や吸油性の影響を受け難く、かつ容易に肌色の印刷再現が得られ、安定して良好な肌色印刷物を得ることが可能となる。
【発明を実施するための最良の形態】
【００１１】
以下、本発明の実施形態の内容を図面を用いて説明する。
【００１２】
図１は、オフセット多色印刷機の全体概略図である。図１におけるオフセット多色印刷機では、被印刷体５である洋紙、合成紙などが、各色の印刷ユニットである１胴目のブラック胴１から順に、２胴目のシアン胴２、３胴目のマゼンタ胴３、４胴目のイエロー胴４からなるオフセット多色印刷機で印刷が行われ、排紙部６に積載される。
【００１３】
図２は、オフセット多色印刷機の内部構造を示す概略図である。図２において、印刷版１６は版胴１３に装着されるが、水を必要とするＰＳ版では水供給ローラ１１とインキローラ１２から印刷版１６面上の画像が形成され、ブランケット胴１４、圧胴１５からなる構成から被印刷体５にインキが転写される。
【００１４】
印刷版１６は、ＰＳ版、水無版、ドライオフ版等の何れでも良く、被印刷体５である紙や合成紙などに対し、印刷版１６の網点画像をブランケット胴１４に装着されたブランケット１７を介して被印刷体５に転写印刷される。
【００１５】
例えば、版胴１３に装着された印刷版１６面へのインキ供給は、図１のインキ壺９からインキ練りローラ８に転写され、図２の版胴１３に装着された印刷版１６面までインキが転写される。印刷版１６上のインキは、ブランケット胴１４に装着されたブランケット１７を介し、ブランケット胴１４と圧胴１５との間で圧力によって被印刷体５にインキが転移され、連続的に印刷が行われる。
【００１６】
また、ＰＳ版では水の供給が必要なことから、水供給ローラ１１から印刷版１６面に給湿液が供給され、水と油の反発を利用した方法で印刷版１６面上の画像を形成し、ブランケット胴１４を介し、圧胴１５との間で印刷圧によって被印刷体５にインキが転移され印刷が行われている。
【００１７】
近年、ＣＴＰ（コンピュータ・ツー・プレート）システムが開発されており、走査型露光用（レーザー露光用）の銀塩刷版（例えば、三菱製紙社製のシルバーデジプレート、アグファ社製のセットプリントなど）を用いたカラー印刷（多色印刷）が可能になっている。
【００１８】
ここで云うオフセット印刷版は、多色オフセット印刷における印刷版１６であって、ＣＴＰ版、ＰＳ版、水無平凹版、ドライオフ版である。
【００１９】
図３は、印刷版上の網点面積と印刷された網点面積の差を示す概略図である。図３において、製版された印刷版上の網点２１と被印刷体に印刷された網点２２の大きさを表したものである。製版された印刷版上の網点が被印刷体にオフセット印刷された場合にドットゲイン（網点の太り）２３が発生する。オフセット印刷では、被印刷体にインキ壺から供給されたインキがブランケットを介して数ミクロンの厚さで転移される。この際に、印刷版に形成された印刷版上の網点２１は印刷圧によりブランケット上で１次変化する、さらに被印刷体に転移した際は２次変化としてドットゲイン（網点の太り）２３が発生する。２４は目標とする仮の肌色網点である。
【００２０】
図４は、本発明における印刷版画像の矯正システムの構成を示す概略図である。図４において、３１は印刷原稿、３２は製版用スキャナ装置またはフラットヘッドスキャナである。３３ａ〜３３ｄはそれぞれ画像矯正プログラム及び数式１が組み込まれたパーソナルコンピュータＡ〜Ｄである。３４は印刷物、３５は濃度計、４０は印刷版の出力装置、３６、３７、３８、３９は矯正済み印刷版（ポジフィルム、ネガフィルム、ＣＴＰ版）であり、それぞれ墨印刷版、藍印刷版、紅印刷版、黄印刷版である。また、４１は印刷原稿３１から製版用キャナ装置３２とパ−ソナルコンピュータ３３から出力された基準肌色再現網点階調プロファイル、４２は印刷物３４から濃度計３５により得た印刷物階調プロファイル、４３は印刷物階調プロファイル４２を数１によって換算した印刷物網点階調プロファイル、４４は基準肌色再現網点階調プロファイル４１と印刷物網点階調プロファイル４３から演算された一次矯正プロファイル、４５は目標とする肌色再現補正プロファイルであってカラー印刷物から鋭意研究した結果、得られた目標の各色印刷版の構成データである。４６は一次矯正プロファイル４４と目標とする肌色再現補正プロファイル４５の演算から得た画像矯正済プロファイルである。
【００２１】
目標とする肌色再現網点補正プロファイル４５は、イエロー画像とマゼンタ画像の網点面積率をそれぞれ３０〜４５％、シアン画像の網点面積率を基準肌色再現網点階調プロファイルから得られるそれの１／３以下で、好ましくは網点面積率を７％以下にしたものであり、更にはイエロー画像とマゼンタ画像の網点面積比が１：０．８〜１：１であることは好ましい。
【００２２】
この規定値の経緯を説明する。女性の肌ポジフィルムの種類から肌面積が原稿の２０％余りをしめる明るい肌原稿を選択し、通常のスキャナ撮影から印刷をしたものと、墨インキ、藍インキを除いた肌印刷物を見比べた。原稿から通常に印刷した物は墨及び藍画像の網点印刷が入りインキ着肉ムラやガサツキが発生する。これに対し墨、藍画像を除いた処、印刷では前記の様なインキ着肉ムラやガサツキは発生しない事が判明した。この事から印刷物をＸ-rite濃度測定器及び画像解析装置により測定し演算した結果、イエロー画像とマゼンタ画像の網点面積率をそれぞれ３０〜４５％、シアン画像の網点面積率を基準肌色再現網点階調プロファイルから得られるそれの１／３以下である肌印刷のための値が算出された。
【００２３】
また、目標肌色再現網点階調プロファイルにおけるシアン画像の網点面積率は７％以下にすること、イエロー画像とマゼンタ画像の網点面積比が１：０．８〜１：１の範囲にするより好ましいことも判明した。
【００２４】
そして、結果として紙の要因となる吸水や吸油の影響を最小限に抑えることの出来る印刷再現が可能になった。この規定値を外した場合は原稿通りのプロセス４色の印刷が重なり紙の吸水及び吸油の影響を受け特に官能的に目立つ墨及び藍のドットゲインが大きくなり肌再現に影響を与え印刷再現不良の印刷ムラが発生する。
【００２５】
製版用スキャナ装置３２の検出ヘッドは、光源、集光レンズ、光検出器等からなる光学検出系によって構成され、印刷原稿３１を透過した光の強度を検出して印刷原稿３１の所定の範囲を走査検出することが出来る。印刷原稿３１を透過した光の強度を検出して印刷原稿３１の透過率または対数変換した透過濃度に相当する検出信号を得る。この検出信号をパーソナルコンピュータＡ３３ａで取り込み網点構成された基準肌色再現網点階調プロファイル４１を得る。
【００２６】
印刷原稿３１はネガ（ポジ）フィルムである。プロセス色印刷物の印刷原稿３１は、印刷インキの色のシアン、マゼンタ、イエロー、ブラックの各色のインキに対応する４つの画像により構成される。
【００２７】
一方、印刷物３４は濃度計３５により印刷物階調プロファイル４２を得るが濃度値であり数式１により網点面積率に変換する。数式１が組み込まれたパーソナルコンピュータＢ３３ｂで演算し、印刷物網点階調プロファイル４３を得る。
【００２８】
網点面積変換処理は、下記の数式１によって示される。
【００２９】
【数１】
2006093796.tif 000003
【００３０】
以上の基準肌色網点階調プロファイル４１と印刷物網点階調プロファイル４３をパーソナルコンピュータＣ３３ｃで演算し一次矯正プロファイル４４を得る。この一次矯正プロファイル４４と目標とする肌色再現網点補正プロファイル４５をパーソナルコンピュータＤ３３ｄでさらに演算し、画像矯正済みプロファイル４６を得る。この得られた画像矯正済みプロファイル４６は、肌色再現印刷版として印刷版出力装置４０からシアン版３７、マゼンタ版３８、イエロー版３９、ブラック版３６としてプロセス各色のインキに対応する４つの矯正済印刷版画像として出力される。本発明のオフセット印刷版は多色オフセット印刷における印刷版であって、被印刷体の水および油の吸収斑を抑えることのできる肌色再現多色オフセット印刷版（ＣＴＰ版、ＰＳ版、水無平凹版、ドライオフ版）である。
【００３１】
ここで、上記説明におけるパーソナルコンピュータ３３ａ、３３ｂ、３３ｃ、３３ｄは、説明を分かりやすくするために便宜上それぞれ別の符号として説明したが、１台のパーソナルコンピュータでも何ら差し支えない。
【産業上の利用可能性】
【００３２】
以上のように本発明によれば、吸水性や吸油性の影響を受け易い被印刷体に対して容易に肌色印刷再現ができる印刷版の矯正方法に適用できるものである。
【図面の簡単な説明】
【００３３】
【図１】オフセット多色印刷機における全体概略図である。
【図２】オフセット多色印刷機の内部構成を示す概略図である。
【図３】印刷版上の網点面積と印刷された網点面積の差を示す概略図である。
【図４】本発明におけるオフセット印刷版画像の矯正システムの構成を示す概略図である。
【符号の説明】
【００３４】
１  １胴目のブラック胴
２  ２胴目のシアン胴
３  ３胴目のマゼンタ胴
４  ４胴目のイエロー胴
５  被印刷体
６  印刷物
７  印刷圧
８  インキローラ
９  インキ壺
１１  印刷機の給水ローラ
１２  印刷機のインキローラ
１３  版胴
１４  ブランケット胴
１５  圧胴
１６  印刷版
１７  ブランケット
２１  印刷版上の網点
２２  被印刷体に印刷された網点
２３  網点のドットゲイン
２４  仮の目標とする肌色部の網点
３１  印刷原稿
３２  製版用スキャナ装置
３３ａ  パーソナルコンピュータＡ
３３ｂ  パーソナルコンピュータＢ
３３ｃ  パーソナルコンピュータＣ
３３ｄ  パーソナルコンピュータＤ
３４  印刷物
３５  濃度計
３６  墨印刷版
３７  藍印刷版
３８  紅印刷版
３９  黄印刷版
４０  各色印刷版の出力装置
４１  基準肌色再現網点階調プロファイル
４２  印刷物階調プロファイル
４３  印刷物網点階調プロファイル
４４  一次矯正プロファイル
４５  目標肌色再現補正プロファイル
４６  画像矯正済プロファイル
【図１】
2006093796.tif 000004
【図２】
2006093796.tif 000005
【図３】
2006093796.tif 000006
【図４】
2006093796.tif 000007